(57)【要約】【課題】簡単にルアーの交換作業を行うことができ、状況に応じた最適なルアーを選択できるルアーセットを提供する。【解決手段】釣り糸が連結される先端部材２と、形状、配色及び大きさの違いによって互いに異なる魚類に似せて形成された複数の第１〜第６のルアー本体１０〜１５と、先端部材２に各ルアー本体１０〜１５を着脱自在に連結する連結手段４とを備えたルアーセット１であり、第１〜第６のルアー本体１０〜１５の中から選択して、選択したルアー本体を先端部材２に連結手段４を介して取り付けるだけで、ルアーの変更を完了させることができる。【選択図】図１
0003179022.tif 000002
【実用新案登録請求の範囲】
【請求項１】
釣り糸が連結される先端部材と、
形状、配色及び大きさの違いによって互いに異なる魚類に似せて形成された複数のルアー本体と、
前記先端部材に前記各ルアー本体を着脱自在に連結する連結手段と、
を備えていることを特徴とするルアーセット。
【請求項２】
前記各ルアー本体は、互いに着脱自在に構成された複数の分割部材によって構成されていることを特徴とする請求項１に記載のルアーセット。
【請求項３】
前記複数の分割部材は、魚類の胴部上側に似せて形成された胴上部材と、魚類の胴部下側に似せて形成された胴下部材とを有していることを特徴とする請求項２に記載のルアーセット。
【請求項４】
前記先端部材は魚類の頭部に似せて形成されており、前記連結手段が当該先端部材に対して前記各ルアー本体を揺動自在に構成されていることを特徴とする請求項１〜３のいずれかに記載のルアーセット。
【請求項５】
前記先端部材に前記ルアー本体を連結させた状態で、全体として一体的な魚類の形態とするアダプターを更に備えていることを特徴とする請求項１〜４のいずれかに記載のルアーセット。
【請求項６】
形状、配色及び大きさの違いによって互いに異なる魚類の頭部に似せて形成され、釣り糸が連結される複数の先端部材と、
形状、配色及び大きさの違いによって互いに異なる魚類の胴部に似せて形成された複数のルアー本体と、
前記各先端部材に前記各ルアー本体を着脱自在に連結する連結手段と、
を備えていることを特徴とするルアーセット。
【考案の詳細な説明】
【技術分野】
【０００１】
本考案は、釣り糸を連結したまま異なる形態のルアーに変換することができるルアーセットに関する。
【背景技術】
【０００２】
従来、多様な形態で構成された数々のルアーが市販されており、釣りをする者は、複数種類のルアーを購入し、これらを釣りの状況に応じて使い分けている。例えば特許文献１には、頭部側から尾部側にかけて複数に分割された分割体によりルアー本体を構成し、これら分割体を可撓性のある芯材で連結したルアーが記載されている。
【０００３】
特許文献２及び特許文献３には、ルアー本体を複数個に分割し、分割部間を揺動又は回動自在にしたルアーが記載されている。これら特許文献に記載された構成によって、魚の動きに似せた動きを得ることができるものとされている。
さらに、頭部と胴部とを互いに脱着自在として、取り扱いを容易にしたルアーも知られている（例えば、特許文献４参照）。
【先行技術文献】
【特許文献】
【０００４】
【特許文献１】特開２０１１−４５３４０号公報
【特許文献２】特開２００４−１７３６５７号公報
【特許文献３】特開２０１１−９２０９７号公報
【特許文献４】特開２００１−１１２３８０号公報
【考案の概要】
【考案が解決しようとする課題】
【０００５】
ルアーを用いて釣りをしている際、天候や海、魚の状況に応じてルアーの種類を変更したい場合がある。ルアーの種類を変更するには、携行している何種類かのルアーの中から最適なものを選択して、選択したルアーと、釣り糸に連結しているルアーを交換する必要がある。ルアーは、リールに巻かれた釣り糸の端部をルアーの先端に結び付けて連結しているため、ルアーを交換するには、釣り糸を切るなどして使用している当該ルアーを外さなければならない。そして、釣り糸を別のルアーの先端に結びつけることでルアーの交換作業が完了する。
【０００６】
特許文献１〜４に記載されたルアーは、魚の動きに似せて構成されているものの、ルアーの形や色、大きさは、それぞれ決められたものである。従って、ルアーの種類を変更したい場合が生じ、その際には、ルアーの交換作業を行わなければならない。ルアーの交換は上述のような手順で行われ、非常に面倒で手間のかかる作業を要する。釣りの状況に応じて早く交換したい場合もあり、特に不慣れな者では、交換作業に手間取ってしまうといった問題がある。
【０００７】
また、交換しても釣果がでない場合には、さらに別のルアーに変更したい場合も生じるが、そのようなルアーを携行していなければ、やむなく使用中のルアーで釣り続けなければならない。このように、交換作業に手間取ってしまうことや、十分な種類のルアーを携行していないことは、釣りのタイミングを逃し釣果を落とす結果に繋がる。
【０００８】
そこで本考案は、上記従来技術の問題点に鑑み、簡単にルアーの交換作業を行うことができ、状況に応じた最適なルアーを選択できるルアーセットを提供することを目的とする。
【課題を解決するための手段】
【０００９】
上記目的を達成するため、次の技術的手段を講じた。
即ち、本考案のルアーセットは、釣り糸が連結される先端部材と、形状、配色及び大きさの違いによって互いに異なる魚類に似せて形成された複数のルアー本体と、前記先端部材に前記各ルアー本体を着脱自在に連結する連結手段と、を備えていることを特徴とする。
【００１０】
上記本考案のルアーセットによれば、釣り糸が連結される先端部材と、複数のルアー本体と、先端部材に各ルアー本体を着脱自在に連結する連結手段とを備えているため、複数のルアー本体の中から選択して、選択したそのルアー本体を先端部材に連結手段を介して取り付けるだけで、ルアーの変更が完了する。従って、ルアーの交換作業に釣り糸を結びつける作業は不要であり、非常に簡単な手間のかからない作業だけでルアーの種類変更を行うことができる。複数のルアー本体は、それぞれ形状、配色及び大きさの違いによって互いに異なる魚類に似せて形成されているため、別の種類のルアーに変更したい場合、あらゆる形態のルアーから最適な種類のルアーを選択することができる。
【００１１】
前記各ルアー本体は、互いに着脱自在に構成された複数の分割部材によって構成されているものであってもよい。例えば、互いに揺動自在な複数の分割部材によって構成されていることで魚の動きに似せたルアーとすることや、多様な種類の分割部材を製作しておくことでルアーのバリエーションを増やすことができる。
【００１２】
前記複数の分割部材は、例えば、魚類の胴部上側に似せて形成された胴上部材と、魚類の胴部下側に似せて形成された胴下部材とを有しているものであってもよい。この場合、多様な種類の胴上部材と胴下部材を製作しておくことで、ルアーの胴部上下で変更されるバリエーションを増やすことができる。
【００１３】
前記先端部材は魚類の頭部に似せて形成されており、前記連結手段を当該先端部材に対して前記各ルアー本体を揺動自在に構成してもよい。魚類の頭部に似せて形成された先端部材に対して、魚類の胴部となるルアー本体を揺動自在とすることによって、魚類の動きに似た動きを得ることができる。
【００１４】
前記先端部材に前記ルアー本体を連結させた状態で、全体として一体的な魚類の形態とするアダプターを更に備えていてもよい。このようなアダプターを使用することによって、先端部材に適合するルアー本体のバリエーションを増やすことができる。
【００１５】
本考案のルアーセットは、形状、配色及び大きさの違いによって互いに異なる魚類の頭部に似せて形成され、釣り糸が連結される複数の先端部材と、形状、配色及び大きさの違いによって互いに異なる魚類の胴部に似せて形成された複数のルアー本体と、前記各先端部材に前記各ルアー本体を着脱自在に連結する連結手段とを備えていることを特徴とする。
【００１６】
上記本考案のルアーセットによれば、釣り糸が連結される複数の先端部材と、複数のルアー本体と、各先端部材に各ルアー本体を着脱自在に連結する連結手段とを備えているため、複数の先端部材及びルアー本体の中から選択して、その先端部材とルアー本体とを連結手段を介して取り付けるだけで、ルアーの変更が完了する。従って、ルアーの交換作業に釣り糸を結びつける作業は不要であり、非常に簡単な手間のかからない作業だけでルアーの種類変更を行うことができる。複数の先端部材及び複数のルアー本体は、それぞれ形状、配色及び大きさの違いによって互いに異なる魚類に似せて形成されているため、組み合わせて得られるデザインが増え、より最適な種類のルアーを選択することができる。
【考案の効果】
【００１７】
上記の通り、本考案によれば、複数のルアー本体の中から選択して、そのルアー本体を先端部材に連結手段を介して取り付けるだけで、ルアーの変更が完了するため、非常に簡単な手間のかからない作業だけでルアーの種類変更を行うことができる。複数のルアー本体は、それぞれ形状、配色及び大きさの違いによって互いに異なる魚類に似せて形成されているため、あらゆる形態のルアーから最適な種類のルアーを選択することができる。
【図面の簡単な説明】
【００１８】
【図１】本考案の第１実施形態に係るルアーセットを表す図である。
【図２】（ａ）〜（ｄ）は連結手段の異なる態様を表す側面図である。
【図３】ルアーセットから３種類のルアーを構成した図である。
【図４】（ａ）は本考案の第２実施形態に係るルアーセットの連結部分の拡大側面図であり、（ｂ）は平面図である。
【図５】（ａ）〜（ｄ）は本考案の第３実施形態に係るルアーセットの構成部材を表す側面図である。
【図６】本考案の第４実施形態に係るルアーセットのルアーを表す図である。
【図７】本考案の第５実施形態に係るルアーセットのルアーを表す図である。
【図８】本考案の一実施形態に係るルアーセットを表す図である。
【考案を実施するための形態】
【００１９】
以下、本考案の実施形態について図面を参照して説明する。図１は本考案の第１実施形態に係るルアーセット１を表す図である。このルアーセット１は、組み付けることで釣り糸に連結される複数のルアーが得られるものであり、釣り糸が連結される先端部材２と、複数のルアー本体３と、先端部材２に各ルアー本体を連結する連結手段４とで構成されている。
【００２０】
これら先端部材２、複数のルアー本体３及び連結手段４を構成する材料は限定するものではなく、従来のルアーに使用されている金属や樹脂材料が使用される。本実施形態の先端部材２は、図１のように魚の口先からエラまでの頭部の形態に対応して形成されており、その口先部分２ａには、釣り糸を結びつけるアイレット５が設けられている。
【００２１】
本実施形態では、複数のルアー本体３は６種類の第１〜第６のルアー本体１０〜１５で構成されている。複数のルアー本体３を構成する数は限定されず、５種類以下、又は６種類を超えるルアー本体で構成されているものであってもよい。第１〜第６のルアー本体１０〜１５は、それぞれ形状、配色及び大きさの違いによって互いに異なる魚類に似せて形成されている。第１〜第６のルアー本体１０〜１５は、魚のエラの後から尾までの胴部に似せて形成されており、先端部材２と組み合わされることで全体として魚に似た形状となる。
【００２２】
図２（ａ）〜（ｄ）はそれぞれ連結手段４の異なる態様を表す側面図である。図１及び図２（ａ）に示すように、本実施形態の連結手段４は、先端部材２に形成された嵌合凹部６と、第１〜第６のルアー本体１０〜１５に形成された嵌合凸部７とからなる。先端部材２の嵌合凹部６に、第１〜第６のルアー本体１０〜１５の嵌合凸部７を嵌め込むことによって、先端部材２と第１〜第６のルアー本体１０〜１５が互いに組み付けられる。
【００２３】
このように、先端部材２に対して第１〜第６のルアー本体１０〜１５のそれぞれが着脱自在となっている。先端部材２の嵌合凹部６に、第１〜第６のルアー本体１０〜１５の嵌合凸部７を嵌め込めば、釣りの際には抜けてしまうことがなく、かつ手で引き抜けば外れるようになっている。従って、第１〜第６のルアー本体１０〜１５から何れか１つのルアー本体（例えば第１のルアー本体１０）を選択して、そのルアー本体１０を先端部材２に嵌め込むことでこれらが互いに組み付けられる。従って、本実施形態では６種類のルアーから状況に対応したルアーを選択して使用できるようになっている。
【００２４】
図３はルアーセット１から３種類のルアー２０、２１、２２を構成した図である。図３では、先端部材２に第１のルアー本体１０を装着したルアー２０、先端部材２に第２のルアー本体１１を装着したルアー２１、及び先端部材２に第３のルアー本体１２を装着したルアー２２が図示されている。これと同様に先端部材２に第４〜第６のルアー本体１３〜１５を装着すれば、それぞれ他の形態を有するルアーとなる。
【００２５】
連結手段４の形態は限定されるものではなく、図２（ｂ）〜（ｄ）のようなものであってもよい。図２（ｂ）に示すように、先端部材２に雌ねじ凹部１７を形成すると共に、この雌ねじ凹部１７に螺合する雄ネジ凸部１８を第１〜第６のルアー本体１０〜１５に形成して、これらを着脱自在としてもよい。図２（ｃ）に示すように、先端部材２に係合凹部２３を形成すると共に、第１〜第６のルアー本体１０〜１５に係合部２４を形成し、当該第１〜第６のルアー本体１０〜１５に設けられた摘み２５を押すことで着脱自在としてもよい。図２（ｄ）に示すように、第１〜第６のルアー本体１０〜１５に嵌合凹部２６を形成して、この嵌合凹部２６に先端部材２を押し込むことで着脱自在としてもよい。
【００２６】
本考案の特徴は、従来とは異なり１つの先端部材２に対して複数のルアー本体３が備えられたルアーセット１となっている点であり、先端部材２に複数のルアー本体３のうちの何れかを組み合わせることで、複数種類のルアーから状況に対応したルアーを選択することができる。本実施形態のルアーセット１によれば、釣り糸が連結される先端部材２と、複数のルアー本体３と、先端部材２に第１〜第６のルアー本体１０〜１５を着脱自在に連結する連結手段４とを備えているため、複数のルアー本体３の中から選択して、選択したそのルアー本体を先端部材２に連結手段４を介して取り付けるだけで、ルアーの変更が完了する。従って、ルアーの交換作業に釣り糸を結びつける作業は不要であり、非常に簡単な手間のかからない作業だけでルアーの種類変更を行うことができる。複数のルアー本体３は、それぞれ形状、配色及び大きさの違いによって互いに異なる魚類に似せて形成されているため、別の種類のルアーに変更したい場合、あらゆる形態のルアーから最適な種類のルアーを選択することができる。
【００２７】
図４（ａ）は本考案の第２実施形態に係るルアーセットから組み付けたルアー３０の連結部分３１の拡大側面図であり、（ｂ）は平面図である。本実施形態では、魚の頭部に似せた先端部材３２に対して各ルアー本体３３が揺動自在となっている。先端部材３２にはリング部３４が形成されており、それと共に各ルアー本体３３には、摘み３５をスライドさせることで開閉自在な引掛リング３６が形成されている。先端部材３２に各ルアー本体３３を装着したいときには、摘み３５をスライドさせて引掛リング３６を開状態としてリング部３４に引っ掛け、引っ掛けた状態で摘み３５を離して閉状態とすればよい。本実施形態では、魚類の頭部に似せて形成された先端部材３２に対して、魚類の胴部となる各ルアー本体３３を揺動自在とすることによって、魚類の動きに似た動きを得ることができる。
【００２８】
図５（ａ）〜（ｄ）は本考案の第３実施形態に係るルアーセット３８の構成部材を表す側面図である。本実施形態の各ルアー本体３９は、互いに着脱自在に構成された複数の分割部材３９ａ、３９ｂによって構成されている。図５（ａ）に示すように、各ルアー本体３９は、魚類の胴部上側に似せて形成された胴上部材３９ａと、魚類の胴部下側に似せて形成された胴下部材３９ｂとで構成されている。これら胴上部材３９ａと胴下部材３９ｂとは互いに着脱自在に構成されている。胴上部材３９ａと胴下部材３９ｂとを互いに着脱自在とするには、例えば嵌め合わせ形式等の従来の構成が用いられる。図５（ａ）の胴上部材３９ａから胴下部材３９ｂを取り外し、当該胴上部材３９ａに図５（ｂ）や（ｃ）の胴下部材３９ｂを取り付ければ、別種類のルアーとなる。
【００２９】
さらに、図５（ａ）の胴下部材３９ｂに、図５（ｄ）や（ｅ）の胴上部材３９ａを装着してもよい。このように多様な種類の胴上部材３９ａと胴下部材３９ｂを製作しておけば、これらを組み合わせることで多様な種類の魚に似せたルアーを得ることができ、ルアーの胴部上下で変更されるバリエーションを増やすことができる。
【００３０】
図６は本考案の第４実施形態に係るルアーセットのルアー４０を表す図である。本実施形態では、先端部材４１に各ルアー本体４２を連結させた状態で、全体として一体的な魚類の形態とするアダプター４３が備えられている。このアダプター４３は、先端部材４１と各ルアー本体４２の連結部分が互いに適合しない場合に用いられるものであって、当該アダプター４３を使用することによって、先端部材４１に適合するルアー本体のバリエーションを増やすことができる。
【００３１】
図７は本考案の第５実施形態に係るルアーセット４４のルアー４５を表す図である。本実施形態のルアーセット４４は、先端部材４６と、形状、配色及び大きさの違いによって互いに異なる魚類の頭部及び胴部に似せて形成された複数のルアー本体とで構成されている。本実施形態の先端部材４６は、アイレット５が設けられた口先部分のみで形成されている。複数のルアー本体から１つのルアー本体４７を選択し、選択したルアー本体４７に先端部材４６を装着することで、状況に応じたルアーを得ることができる。
【００３２】
図８は本考案の一実施形態に係るルアーセット５０を表す図である。本考案のルアーセット５０は、形状、配色及び大きさの違いによって互いに異なる魚類の頭部に似せて形成され、釣り糸が連結される第１〜第６の先端部材５１〜５６と、形状、配色及び大きさの違いによって互いに異なる魚類の胴部に似せて形成された第１〜第６のルアー本体１０〜１５と、各先端部材に各ルアー本体を着脱自在に連結する連結手段５７で構成されている。
【００３３】
即ち、本実施形態が上記考案の第１実施形態と異なる点は、ルアーセット５０に第１〜第６の先端部材５１〜５６が備えられている点である。本実施形態のルアーセット５０によれば、釣り糸が連結される第１〜第６の先端部材５１〜５６と、第１〜第６のルアー本体１０〜１５と、各先端部材に各ルアー本体を着脱自在に連結する連結手段５７とを備えているため、第１〜第６の先端部材５１〜５６及び第１〜第６のルアー本体１０〜１５の中から選択して、その先端部材とルアー本体とを連結手段５７を介して取り付けるだけで、ルアーの変更が完了する。従って、ルアーの交換作業に釣り糸を結びつける作業は不要であり、非常に簡単な手間のかからない作業だけでルアーの種類変更を行うことができる。複数の先端部材及び複数のルアー本体は、それぞれ形状、配色及び大きさの違いによって互いに異なる魚類に似せて形成されているため、組み合わせて得られるデザインが増え、より最適な種類のルアーを選択することができる。上記各実施形態は例示であり、先端部材及びルアー本体の形状、配色、大きさ、及び数を適宜変更したルアーセットとすることができる。
【符号の説明】
【００３４】
１    ルアーセット
２    先端部材
３    複数のルアー本体
４    連結手段
５    アイレット
６    嵌合凹部
７    嵌合凸部
１０〜１５  第１〜第６のルアー本体
１７  雌ねじ凹部
１８  雄ネジ凸部
２０〜２２  ルアー
２３  係合凹部
２４  係合部
２５  摘み
３０  ルアー
３２  先端部材
３４  リング部
３６  引掛リング
３８  ルアーセット
３９ａ  胴上部材
３９ｂ  胴下部材
４０  ルアー
４３  アダプター
４４  ルアーセット
４６  先端部材
４７  ルアー本体
５０  ルアーセット
５１〜５６  第１〜第６の先端部材
【図１】
0003179022.tif 000003
【図２】
0003179022.tif 000004
【図３】
0003179022.tif 000005
【図４】
0003179022.tif 000006
【図５】
0003179022.tif 000007
【図６】
0003179022.tif 000008
【図７】
0003179022.tif 000009
【図８】
0003179022.tif 000010